(57)【要約】      （修正有）【課題】冷蔵庫の大型化を抑制することができる冷蔵庫を提供する。【解決手段】ファングリル１０は、第１の吸込口２Ａ１が形成されている背面部２と、背面部２に対向し、背面部２よりも貯蔵室側に位置する板状の前面部１とを含み、遠心ファン３０は、ファン筐体と、ファン筐体内に設けられているインペラとを含み、ファン筐体は、背面部２に対向し、第２の吸込口が形成されている第１の面部と、前面部１に対向し、インペラが取り付けられている第２の面部とを含み、前面部１と第２の面部とは、平行である。【選択図】図１Ｂ
2018112336.tif 000002
【特許請求の範囲】
【請求項１】
貯蔵室が形成された冷蔵庫筐体と、
前記冷蔵庫筐体に設けられ、前記貯蔵室の背面側に配置されているファングリルと、
前記ファングリルに収容されている冷却器と、
前記ファングリルに設けられている遠心ファンと、
を備え、
前記ファングリルは、第１の吸込口が形成されている背面部と、前記背面部に対向し、前記背面部よりも前記貯蔵室側に位置する板状の前面部とを含み、
前記遠心ファンは、ファン筐体と、前記ファン筐体内に設けられているインペラとを
含み、
前記ファン筐体は、前記背面部に対向し、第２の吸込口が形成されている第１の面部と、前記前面部に対向し、前記インペラが取り付けられている第２の面部とを含み、
前記前面部と前記第２の面部とは、平行である
冷蔵庫。
【請求項２】
前記前面部は、平板状であり、
前記背面部は、前記前面部に平行に設けられている
請求項１に記載の冷蔵庫。
【請求項３】
前記第１の吸込口及び前記第２の吸込口は、前記冷却器の前端よりも背面側であり、前記冷却器の後端よりも前側に位置している
請求項１又は２に記載の冷蔵庫。
【請求項４】
前記遠心ファンは、前記冷却器の上側に配置され、
前記第２の面部は、前記前面部に固定されている
請求項１〜３のいずれか一項に記載の冷蔵庫。
【請求項５】
前記ファングリルは、前記貯蔵室内の冷気を前記冷却器に戻す戻り風路と、前記冷却器が配置されている冷却器室と、前記戻り風路と前記冷却器室とを区画する区画部とを更に含み、
前記冷却器室には、前記第１の吸込口が設けられている
請求項１〜４のいずれか一項に記載の冷蔵庫。
【請求項６】
前記戻り風路は、前記区画部の上側に位置している第１の戻り風路と、前記第１の戻り風路よりも冷気流れ方向の下流側に設けられ、前記区画部の側方側に位置している第２の戻り風路とを含む
請求項５に記載の冷蔵庫。
【請求項７】
前記区画部は、前記背面部に接続されている第１の部分と、上端部が前記第１の部分の端部に接続され、上下方向に延びる第２の部分とを含む
請求項５又は６に記載の冷蔵庫。
【請求項８】
前記ファングリルは、前記戻り風路から前記冷却器室へ流入する冷気が通過する流入部を更に含み、
前記流入部は、前記区画部の下端部に設けられている
請求項５〜７のいずれか一項に記載の冷蔵庫。
【請求項９】
前記ファングリルは、前記遠心ファンの下側に配置されている傾斜面部を更に含み、
前記傾斜面部は、前記冷蔵庫筐体の背面側から前面側にむかうにしたがって、前記冷蔵庫筐体の上側から下側へ傾斜する傾斜面を含み、
前記傾斜面部の上端は前記背面部に接続され、前記傾斜面部の下端は前記前面部に接続されている
請求項１〜８のいずれか一項に記載の冷蔵庫。
【請求項１０】
前記傾斜面部は、湾曲している
請求項９に記載の冷蔵庫。
【請求項１１】
前記ファングリルは、前記遠心ファンから吹き出された冷気を前記貯蔵室へ供給する吹出風路を更に含み、
前記吹出風路は、前記遠心ファンよりも上側に設けられている第１の吹出風路と、上下方向に平行であり、前記冷却器の側方側に位置している第２の吹出風路とを含む
請求項１〜１０のいずれか一項に記載の冷蔵庫。
【請求項１２】
前記ファングリルは、前記冷却器の側方側に位置し、前記貯蔵室内の冷気を前記冷却器に戻す戻り風路を更に含み、
前記第２の吹出風路は、前記戻り風路に並ぶように設けられている
請求項１１に記載の冷蔵庫。
【発明の詳細な説明】
【技術分野】
【０００１】
本発明は、冷蔵庫に関し、特に、ファンが設けられているファングリルを備えている冷蔵庫に関するものである。
【背景技術】
【０００２】
冷蔵庫には、貯蔵品を貯蔵する複数の貯蔵室と、貯蔵室の背面側に配置されている冷却器室と、冷却器室に配置され、軸方向が冷蔵庫の前後方向に対して傾斜している送風機と、を備えているものが提案されている（例えば、特許文献１参照）。特許文献１に記載の冷蔵庫は、冷却器室及び送風機が冷蔵庫の背面部に配置されている。また、特許文献１に記載の冷蔵庫は、送風機の軸方向を前後方向に対して傾斜させて送風機を上向きにすることで、送風機の下方に位置する冷気を送風機の上方へ供給しやすくしている。
【先行技術文献】
【特許文献】
【０００３】
【特許文献１】特開２００６−１８３８９２号公報
【発明の概要】
【発明が解決しようとする課題】
【０００４】
特許文献１に記載の冷蔵庫は、送風機の軸方向を前後方向に対して傾斜させている分、送風機の前端と送風機の後端との間の前後方向の幅が長くなる。送風機の前後方向の幅が長くなると、その分、冷却器室の前後方向の幅も長くする必要がある。つまり、従来の冷蔵庫では、冷却器室の前後方向の幅が長くなる分、冷蔵庫が大型化してしまう、という課題がある。
【０００５】
なお、冷蔵庫の前後方向の寸法を一定としたときには、冷蔵庫の冷却器室の前後方向の幅が長くなると、その分、貯蔵室の前後方向の幅が短くなる。つまり、貯蔵室の容積が減少してしまうことになる。
【０００６】
本発明は、上記のような課題を解決するためになされたもので、冷蔵庫の大型化を抑制することができる冷蔵庫を提供することを目的としている。
【課題を解決するための手段】
【０００７】
本発明に係る冷蔵庫は、貯蔵室が形成された冷蔵庫筐体と、冷蔵庫筐体に設けられ、貯蔵室の背面側に配置されているファングリルと、ファングリルに収容されている冷却器と、ファングリルに設けられている遠心ファンと、を備え、ファングリルは、第１の吸込口が形成されている背面部と、背面部に対向し、背面部よりも貯蔵室側に位置する板状の前面部とを含み、遠心ファンは、ファン筐体と、ファン筐体内に設けられているインペラとを含み、ファン筐体は、背面部に対向し、第２の吸込口が形成されている第１の面部と、前面部に対向し、インペラが取り付けられている第２の面部とを含み、前面部と第２の面部とは、平行である。
【発明の効果】
【０００８】
本発明に係る冷蔵庫によれば、上記構成を備えているので、冷蔵庫の背面部を薄くすることができる。
【図面の簡単な説明】
【０００９】
【図１Ａ】実施の形態１に係る冷蔵庫の断面図を模式的に示した図である。
【図１Ｂ】実施の形態１に係る冷蔵庫の、ファングリル、遠心ファン及び冷却器等の説明図である。
【図１Ｃ】実施の形態１に係る冷蔵庫の、ファングリル、遠心ファン及び冷却器を、冷蔵庫の背面側から見た斜視図である。
【図１Ｄ】図１Ｃに示すファングリル及び遠心ファンの、冷蔵庫の前面側の斜視図である。
【図２Ａ】実施の形態１に係る冷蔵庫の遠心ファンを模式的に示した図である。
【図２Ｂ】図２Ａに示す遠心ファンの筐体とは異なる構成を有する筐体の説明図である。
【図３Ａ】実施の形態１に係る冷蔵庫のファングリルの変形例１である。
【図３Ｂ】実施の形態１に係る冷蔵庫のファングリルの変形例２である。
【図４Ａ】実施の形態２に係る冷蔵庫の、ファングリル、遠心ファン及び冷却器等の説明図である。
【図４Ｂ】（ａ）が図４Ａに示すＢ−Ｂ断面図であり、（ｂ）が図４Ａに示すＣ−Ｃ端面図である。
【図５】実施の形態２に係る冷蔵庫の遠心ファンを模式的に示した図である。
【発明を実施するための形態】
【００１０】
以下、図面を適宜参照しながら本発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。更に、明細書全文に表わされている構成要素の形態は、あくまでも例示であって、これらの記載に限定されるものではない。
【００１１】
実施の形態１．
図１Ａは、実施の形態１に係る冷蔵庫１００の断面図を模式的に示した図である。
なお、以下の説明において、Ｘ方向は、冷蔵庫１００の前面から背面に向かう方向に平行である。Ｙ方向は、冷蔵庫１００の一方の横側面から他方の横側面に向かう方向に平行である。Ｚ方向は、冷蔵庫１００の下面から上面に向かう方向に平行である。
【００１２】
［全体構成の説明］
冷蔵庫１００は、略直方体の形状の冷蔵庫筐体１００Ａを備えている。冷蔵庫筐体１００Ａは、仕切板ＡＰ１〜ＡＰ３によって内部空間が仕切られている。冷蔵庫筐体１００Ａの内部空間は、冷蔵室１０１、製氷室１０２、切替室（図示省略）、野菜室１０４、及び冷凍室１０５を含む。なお、以下ではこれらの部屋を総称して単に貯蔵室と称することがある。野菜室１０４は、製氷室１０２及び切替室に隣接するとともに、冷凍室１０５に隣接している。
【００１３】
各貯蔵室の前方は開口し、当該開口には、この開口を開閉可能に閉塞する扉が設けられている。詳しくは、冷蔵室１０１の前方開口には冷蔵室扉１０１ａが取り付けられ、製氷室１０２の前方開口には製氷室扉１０２ａが取り付けられ、切替室の前方開口には切替室扉（図示省略）が取り付けられ、野菜室１０４の前方開口には野菜室扉１０４ａが取り付けられ、冷凍室１０５の前方開口には冷凍室扉１０５ａが取り付けられている。
【００１４】
冷蔵室１０１は、冷蔵庫１００内の最上段に設けられた貯蔵室であり、内部が冷蔵温度帯に維持される貯蔵室であって冷凍室１０５の温度帯に比べて高い。製氷室１０２及び切替室は、冷蔵室１０１の下方に横並びに設けられた貯蔵室であり、内部が冷凍温度帯に維持される貯蔵室である。切替室は、チルド及びソフト冷凍温度に切替可能となっている。野菜室１０４は、製氷室１０２及び切替室の下方に設けられた貯蔵室である。野菜室１０４は、冷蔵室１０１と同様に内部が冷蔵温度帯に維持される貯蔵室であるが、冷蔵室１０１と比べると温度が高めである。冷凍室１０５は、野菜室１０４の下方に設けられた貯蔵室であり、内部が冷凍温度帯に維持され、冷蔵室１０１の温度帯に比べて低い。なお、製氷室１０２と切替室の位置は反対であってもよい。
【００１５】
各貯蔵室は、設定される温度帯によって区別される。冷蔵室１０１に設定される温度帯は例えば０℃〜４℃、野菜室１０４に設定される温度帯は例えば３℃〜１０℃である。また、製氷室１０２に設定される温度帯は例えば−１８℃、冷凍室１０５に設定される温度帯は例えば−１６℃〜−２２℃である。切替室は、チルドの温度帯とソフト冷凍の温度帯とを切り替えることができる。チルドの温度帯は例えば０℃程度であり、ソフト冷凍の温度帯は例えば−７℃程度である。
【００１６】
冷蔵庫１００は、冷蔵庫筐体１００Ａ内に設けられた熱交換器である冷却器２０を備えている。冷却器２０は冷媒が流れる伝熱管２０Ａと、伝熱管２０Ａが挿入されているフィン２０Ｂとを備えている。また、冷蔵庫１００は、冷蔵庫筐体１００Ａの背面側に設けられているファングリル１０を備えている。更に、冷蔵庫１００には冷気が流れる風路Ｒ３０が形成されており、ファングリル１０には風路Ｒ３０へ冷気を供給する遠心ファン３０（図１Ｂ参照）が設けられている。風路Ｒ３０はＺ方向に延びるように形成されている。
【００１７】
冷蔵庫筐体１００Ａは、冷蔵庫筐体１００Ａの内壁を形成する内箱と、冷蔵庫筐体１００Ａの外郭を形成する外箱とを備える。内箱と外箱との間には真空断熱材が設けられている。冷蔵庫筐体１００Ａの内箱と外箱との間には、断熱材が充填されている。この断熱材は、例えば発泡ウレタンが採用される。冷蔵庫筐体１００Ａは、貯蔵室と風路Ｒ３０とを区画する壁部５１を備えている。冷蔵庫筐体１００Ａは、風路Ｒ３０よりも冷蔵庫筐体１００Ａの背面側に配置されている背面部５０を備えている。風路Ｒ３０は壁部５１と背面部５０との間に位置している。
【００１８】
仕切板ＡＰ１〜ＡＰ３は板状部材であり、樹脂で構成されている。仕切板ＡＰ１は冷蔵庫筐体１００Ａに設けられ、冷蔵室１０１と製氷室１０２及び切替室とを区画する。仕切板ＡＰ２は、冷蔵庫筐体１００Ａに設けられ、製氷室１０２及び切替室と野菜室１０４とを区画する。仕切板ＡＰ３は、冷蔵庫筐体１００Ａに設けられ、野菜室１０４と冷凍室１０５とを区画する。
【００１９】
冷蔵庫１００は、冷媒が循環する冷媒回路（図示省略）を備えている。この冷媒回路は、例えば、圧縮機１２０と、放熱器（図示省略）と、減圧装置（図示省略）と、冷却器２０とを備えている。放熱器は、冷蔵庫１００の例えば側面部に設けられる放熱パイプである。減圧装置は、例えばキャピラリーチューブである。冷蔵庫１００は、背面側の底部に形成され、圧縮機１２０が配置されている圧縮機室Ｒを備えている。
【００２０】
冷蔵庫１００は、圧縮機２１及び遠心ファン３０等を統括制御する制御装置Ｃｎｔが設けられている。制御装置Ｃｎｔは、冷蔵庫筐体１００Ａの例えば背面側の上部に配置されている。
【００２１】
制御装置Ｃｎｔに含まれる各機能部は、専用のハードウェア、またはメモリに格納されるプログラムを実行するＭＰＵ（Micro Processing Unit）で構成される。制御装置Ｃｎｔが専用のハードウェアである場合、制御装置Ｃｎｔは、例えば、単一回路、複合回路、ＡＳＩＣ（application specific integrated circuit）、ＦＰＧＡ（field-programmable gate array）、またはこれらを組み合わせたものが該当する。制御装置Ｃｎｔが実現する各機能部のそれぞれを、個別のハードウェアで実現してもよいし、各機能部を一つのハードウェアで実現してもよい。制御装置ＣｎｔがＭＰＵの場合、制御装置Ｃｎｔが実行する各機能は、ソフトウェア、ファームウェア、またはソフトウェアとファームウェアとの組み合わせにより実現される。ソフトウェアやファームウェアはプログラムとして記述され、メモリに格納される。ＭＰＵは、メモリに格納されたプログラムを読み出して実行することにより、制御装置Ｃｎｔの各機能を実現する。メモリは、例えば、ＲＡＭ、ＲＯＭ、フラッシュメモリ、ＥＰＲＯＭ、ＥＥＰＲＯＭ等の、不揮発性または揮発性の半導体メモリである。
【００２２】
［ファングリル１０の詳細構成］
図１Ｂは、実施の形態１に係る冷蔵庫１００の、ファングリル１０、遠心ファン３０及び冷却器２０等の説明図である。
図１Ｃは、実施の形態１に係る冷蔵庫１００の、ファングリル１０、遠心ファン３０及び冷却器２０を、冷蔵庫の背面側から見た斜視図である。
図１Ｄは、図１Ｃに示すファングリル１０及び遠心ファン３０の、冷蔵庫１００の前面側の斜視図である。
なお、図１Ｂ（ａ）は、冷蔵庫１００の前後方向に平行であって垂直方向に平行な面の断面図を示し、図１Ｂ（ｂ）は図１Ｂ（ａ）のＡ−Ａ端面図である。図１Ｃでは冷気の流れを破線の矢印で示している。
【００２３】
ファングリル１０は、前面部１と、背面部２と、区画部３と、傾斜面部４と、側面部５と、側面部６とを備えている。また、ファングリル１０は、上面部７Ａ及び上面部７Ｂと、
壁部８Ａ及び壁部８Ｂとを備えている。ファングリル１０には、冷却器２０が配置されている冷却器室ＲＭ１と、遠心ファン３０が配置されているファン室ＲＭ２とが設けられている。ファングリル１０には、風路Ｒ０、風路Ｒ１、風路Ｒ２、風路Ｒ３及び風路Ｒ４が設けられている。ファングリル１０には、開口部Ｏｐ１、開口部Ｏｐ２、開口部Ｏｐ３、開口部Ｏｐ４、開口部Ｏｐ５、開口部Ｏｐ６及び開口部Ｏｐ７が形成されている。
【００２４】
前面部１は板状部材である。より詳細には、前面部１は、平板状部材である。前面部１はＹ−Ｚ方向に平行に設けられている。前面部１には開口部Ｏｐ２、開口部Ｏｐ３、開口部Ｏｐ４、開口部Ｏｐ５、開口部Ｏｐ６及び開口部Ｏｐ７が形成されている。前面部１には遠心ファン３０及び冷却器２０が対向している。前面部１は第１の部分１Ａと第２の部分１Ｂとを含む。第１の部分１Ａは第２の部分１Ｂよりも上側に位置している。第１の部分１Ａは壁部５１に対向している。第１の部分１Ａには開口部Ｏｐ４、開口部Ｏｐ５、開口部Ｏｐ６及び開口部Ｏｐ７が形成されている。第２の部分は冷却器室ＲＭ１と冷凍室１０５とを区画している（図１Ａ参照）。第２の部分には開口部Ｏｐ２及び開口部Ｏｐ３が形成されている。
【００２５】
背面部２は板状部材である。背面部２はＹ−Ｚ面に平行に設けられている。つまり、背面部２は前面部１に平行に設けられている。前面部１及び背面部２がＹ−Ｚ面に平行であるので、ファングリル１０は薄型になっている。背面部２には区画部３が接続されている。背面部２は遠心ファン３０に対向している。背面部２は第１の部分２Ａと第２の部分２Ｂと第３の部分２Ｃとを含む。第１の部分２Ａは、背面部２のうち区画部３よりも下側の部分である。第１の部分２Ａは冷却器室ＲＭ１とファン室ＲＭ２とを区画している。第１の部分２Ａには吸込口２Ａ１が形成されている。冷却器室ＲＭ１の冷気は吸込口２Ａ１からファン室ＲＭ２に流入する。第２の部分２Ｂ及び第３の部分３Ｃは、背面部２のうち区画部３よりも上側の部分である。第２の部分２Ｂは、風路Ｒ０と、風路Ｒ１及び風路Ｒ２とを区画している。第３の部分３Ｃは壁部８Ａ及び壁部８Ｂに接続されている。第３の部分２Ｃは第２の部分２Ｂよりも上側に位置している。
【００２６】
区画部３は板状部材である。区画部３は風路を区画する機能を有する。区画部３は第１の部分３Ａ、第２の部分３Ｂ及び第３の部分３Ｃを含む。第１の部分３Ａは風路Ｒ０と冷却器室ＲＭ１とを区画している。第１の部分３Ａの中央部が区画部３の頂点である。第１の部分３Ａの中央部は屈曲している。第２の部分３Ｂの上端部は第１の部分３Ａの一端に接続されている。第２の部分３ＢはＸ−Ｚ面に平行である。第２の部分３Ｂは風路Ｒ３と冷却器室ＲＭ１とを区画している。第３の部分３Ｃの上端部は第１の部分３Ａの他端に接続されている。第３の部分３ＣはＸ−Ｚ面に平行である。第３の部分３Ｃは風路Ｒ４と冷却器室ＲＭ１とを区画している。区画部３の下端部には流入部３Ｂ１及び流入部３Ｃ１が設けられている。第２の部分３Ｂの下端部には流入部３Ｂ１が設けられている。第３の部分３Ｃの下端部には流入部３Ｃ１が設けられている。流入部３Ｂ１は、風路Ｒ３から冷却器室ＲＭ１へ流入する冷気が通気する部分である。流入部３Ｃ１は、風路Ｒ４から冷却器室ＲＭ１へ流入する冷気が通気する部分である。区画部３の下端部には流入部３Ｂ１及び流入部３Ｃ１が設けられているので、風路Ｒ３の冷気及び風路Ｒ４の冷気を冷却器２０の下部に流入させることができる。これにより、風路Ｒ３の冷気及び風路Ｒ４の冷気をより確実に冷却することができる。
【００２７】
傾斜面部４は平板状部材である。傾斜面部４は、冷蔵庫１００の背面側から前面側に向かうにしたがって、冷蔵庫１００の上側から下側へ向かって傾斜している傾斜面４Ａを含む。傾斜面部４の上端が第１の部分２Ａに接続され、傾斜面部４の下端が第２の部分１Ｂに接続されている。傾斜面部４の一方の側端は第２の部分３Ｂに接続され、傾斜面部４の他方の側端は第３の部分３Ｃに接続されている。遠心ファン３０を通過した直後の冷気の流れ方向はＺ方向である。仮に傾斜面部４がＸ−Ｙ面に平行となっていると、傾斜面部４と冷気の流れ方向とが直交してしまう。そうすると、遠心ファン３０を通過した冷気が冷凍室１０５へ供給されにくくなる。これを回避できるように、傾斜面部４は上述のように傾斜している。つまり、ファングリル１０が傾斜面部４を備えているので、風路Ｒ２を流れる冷気が円滑に冷凍室１０５へ流れる。
【００２８】
側面部５は板状部材である。側面部５は、第１の部分５Ａ、第２の部分５Ｂ及び第３の部分５Ｃを含む。第１の部分５Ａ及び第３の部分５ＣはＸ−Ｚ面に平行である。第２の部分５ＢはＸ−Ｙ面に平行である。 第１の部分５Ａは上面部７Ａ及び第２の部分２Ｂに接続されている。第１の部分５Ａの下端には第２の部分５Ｂが接続されている。第１の部分５Ａはファン室ＲＭ２に面している。第１の部分５Ａは風路Ｒ０に面している。第３の部分５Ｃの上端には第２の部分５Ｂが接続されている。第２の部分５Ｂ及び第３の部分５Ｃは風路Ｒ３に面している。
【００２９】
側面部６は板状部材である。側面部６は側面部５と対をなす構成である。側面部６は側面部５と同様の形状を有している。側面部６は、第１の部分６Ａ、第２の部分６Ｂ及び第３の部分６Ｃを含む。第１の部分６Ａ及び第３の部分６ＣはＸ−Ｚ面に平行である。第２の部分６ＢはＸ−Ｙ面に平行である。第１の部分６Ａは上面部７Ｂ及び第２の部分２Ｂに接続されている。第１の部分６Ａの下端には第２の部分６Ｂが接続されている。第１の部分６Ａはファン室ＲＭ２に面している。第１の部分６Ａは風路Ｒ０に面している。第３の部分６Ｃの上端には第２の部分６Ｂが接続されている。第２の部分６Ｂ及び第３の部分６Ｃは風路Ｒ４に面している。
【００３０】
上面部７Ａ及び上面部７Ｂは板状部材である。上面部７Ａ及び上面部７Ｂはファン室ＲＭ２に面している。上面部７Ａ及び上面部７ＢはＸ−Ｙ面に平行である。上面部７Ａは背面部２、側面部５及び壁部８Ａに接続されている。上面部７Ｂは背面部２、側面部６及び壁部８Ｂに接続されている。
【００３１】
壁部８Ａ及び壁部８Ｂは、Ｘ−Ｚ面に平行である。壁部８Ａと壁部８Ｂとは間隔をあけて対向している。
【００３２】
冷却器室ＲＭ１には冷却器２０が配置されている。冷却器室ＲＭ１は背面部５０とファングリル１０との間に形成される空間である。より詳細には、冷却器室ＲＭ１は、背面部５０、第２の部分１Ｂ、傾斜面部４、第１の部分２Ａ及び区画部３等によって形成される空間である。
【００３３】
ファン室ＲＭ２には遠心ファン３０が配置されている。ファン室ＲＭ２はファングリル１０に形成される空間である。より詳細には、ファン室ＲＭ２は、前面部１、背面部２、傾斜面部４、上面部７Ａ、上面部７Ｂ、側面部５及び側面部６等によって形成される空間である。
【００３４】
風路Ｒ０は冷蔵室１０１等を通過して冷却器室ＲＭ１へ戻る冷気が流れる。風路Ｒ０は開口部Ｏｐ４及び開口部Ｏｐ５に連通する。風路Ｒ０は区画部３の上側に位置している。また、風路Ｒ０は風路Ｒ３及び風路Ｒ４に連通している。風路Ｒ０を流れる冷気は２手に別れ、一方の冷気は風路Ｒ３に流入し、他方の冷気は風路Ｒ４に流入する。風路Ｒ３は区画部３の第２の部分３Ｂの側方側に位置している。風路Ｒ４は区画部３の第３の部分３Ｃの側方側に位置している。
風路Ｒ１及び風路Ｒ２は遠心ファン３０から吹き出された冷気が流れる。風路Ｒ１は遠心ファン３０の上側に位置している。風路Ｒ１には上側に向かう冷気が流れる。風路Ｒ２は遠心ファン３０の下側に位置している。風路Ｒ２には下側に向かう冷気が流れる。風路Ｒ１及び風路Ｒ２はファン室ＲＭ２に設けられている。
風路Ｒ３及び風路Ｒ４は風路Ｒ０を通過した冷気が流れる。風路Ｒ３及び風路Ｒ４はＺ方向に平行に延びている。風路Ｒ３及び風路Ｒ４を流れた冷気は冷却器室ＲＭ１に流入する。
【００３５】
ファングリル１０の冷気の吹出口が、開口部Ｏｐ１、開口部Ｏｐ２、開口部Ｏｐ６及び開口部Ｏｐ７である。また、ファングリル１０の冷気の吸込口が、開口部Ｏｐ３、開口部Ｏｐ４及び開口部Ｏｐ５である。
【００３６】
開口部Ｏｐ１は遠心ファン３０から上側に吹き出された冷気が通過する。つまり、遠心ファン３０から上側に吹き出された冷気は、風路Ｒ１から開口部Ｏｐ１へ流れる。開口部Ｏｐ１は、前面部１、壁部８Ａ、壁部８Ｂ及び第３の部分２Ｃによって形成されている。
開口部Ｏｐ２は遠心ファン３０から下側に吹き出された冷気が通過する。つまり、遠心ファン３０から下側に吹き出された冷気は、風路Ｒ２から開口部Ｏｐ２へ流れる。
開口部Ｏｐ３は冷凍室１０５内の冷気が通過する。つまり、冷凍室１０５内の冷気は開口部Ｏｐ３を介して冷却器室ＲＭ１に流入する。
開口部Ｏｐ４及び開口部Ｏｐ５は例えば野菜室１０４内の冷気が通過する。
開口部Ｏｐ６及び開口部Ｏｐ７は遠心ファン３０から上側に吹き出された冷気が通過する。つまり、遠心ファン３０から上側に吹き出された冷気は、風路Ｒ１から開口部Ｏｐ６及び開口部Ｏｐ７へ流れる。
【００３７】
［遠心ファン３０の詳細構成］
図２Ａは、実施の形態１に係る冷蔵庫１００の遠心ファン３０を模式的に示した図である。図２Ａ（ａ）は遠心ファン３０の斜視図であり、図２Ａ（ｂ）は遠心ファン３０の筐体３１の断面図である。
【００３８】
遠心ファン３０は、筐体３１と、インペラ３２と、電動機（図示省略）とを備えている。遠心ファン３０は吸込口３１Ａ、吹出口３１Ｂ１及び吹出口３１Ｂ２が形成されている。遠心ファン３０がファングリル１０に取り付けられた状態では、吹出口３１Ｂ２は吹出口３１Ｂ１よりも下側に位置している。吹出口３１Ｂ１から吹き出された冷気はファングリル１０の風路Ｒ１に流入する。また、吹出口３１Ｂ１から吹き出された冷気はファングリル１０の風路Ｒ２に流入する。
【００３９】
筐体３１は、第１の面部Ｐ１と、第２の面部Ｐ２と、第３の面部Ｐ３と、第４の面部Ｐ４とを含む。第１の面部Ｐ１、第２の面部Ｐ２、第３の面部Ｐ３及び第４の面部Ｐ４は例えば板状部材である。第１の面部Ｐ１と第２の面部Ｐ２とは平行に設けられている。第１の面部Ｐ１と第２の面部Ｐ２とは対向している。第１の面部Ｐ１及び第２の面部Ｐ２は第２の面部Ｐ２に接続されるとともに、第４の面部Ｐ４に接続されている。
第１の面部Ｐ１には吸込口３１Ａが形成されている。遠心ファン３０がファングリル１０に取り付けられた状態では、第１の面部Ｐ１はファングリル１０の背面部２に対向する。吸込口３１ＡのＺ方向の位置は、ファングリル１０の吸込口２Ａ１のＺ方向の位置に合わせられている。吸込口３１ＡのＹ方向の位置は、ファングリル１０の吸込口２Ａ１のＹ方向の位置に合わせられている。
遠心ファン３０がファングリル１０に取り付けられた状態では、第２の面部Ｐ２はファングリル１０の前面部１に対向する。第２の面部Ｐ２は前面部１に平行に設けられている。第２の面部Ｐ２にはインペラ３２が取り付けられている。
【００４０】
インペラ３２は電動機によって回転させられる。インペラ３２には複数の翼３３が設けられている。インペラ３２は第２の面部Ｐ２に設けられている。インペラ３２が回転すると、吸込口３１Ａから筐体３１内に冷気が流入する。筐体３１内に流入した冷気は、進行方向が曲げられ、吹出口３１Ｂ１及び吹出口３１Ｂ２から流出する。
【００４１】
第１の吸込口は、吸込口２Ａ１に対応する。第２の吸込口は、吸込口３１Ａに対応する。戻り風路は、風路Ｒ０、風路Ｒ３及び風路Ｒ４に対応する。第１の戻り風路は、風路Ｒ０に対応する。第２の戻り風路は、風路Ｒ３及び風路Ｒ４の少なくとも一方に対応する。吹出風路は、風路Ｒ１及び風路Ｒ２に対応する。第１の吹出風路は、風路Ｒ１に対応する。区画部の第１の部分は、第１の部分３Ａに対応する。区画部の第２の部分は、第２の部分３Ｂ及び第３の部分３Ｃのうちの少なくとも一方に対応する。
【００４２】
［実施の形態１に係る冷蔵庫１００の有する効果］
冷蔵庫１００は、前面部と第２の面部とが平行である。つまり、遠心ファン３０は傾斜していない状態でファングリル１０に設けられている。このため、冷蔵庫１００の背面部の前後方向の幅が長くなることを抑制することができる。つまり、冷蔵庫１００は、大型化を抑制することができる。
【００４３】
ファングリル１０の吸込口２Ａ１及び遠心ファン３０の吸込口３１Ａは、冷却器２０の前端２０Ｅｄ１よりも背面側であり、冷却器２０の後端Ｅｄ２よりも前側に位置している（図１Ｂ（ａ）参照）。冷蔵庫１００は、このような構成を採用し、ファングリル１０の薄型化を図ることができるようになっている。
【００４４】
［遠心ファン３０の変形例］
図２Ｂは、図２Ａに示す遠心ファン３０の筐体とは異なる構成を有する筐体の説明図である。図２Ｂ（ａ）は、遠心ファン３０の筐体３１にベルマウス３１Ａ１を形成した態様を示している。ベルマウス３１Ａ１は筐体３１の第１の面部Ｐ１の吸込口３１Ａに形成されている。ベルマウス３１Ａ１は、第２の面部Ｐ２から第１の面部Ｐ１へ向かう方向に突出している。
図２Ｂ（ｂ）は、遠心ファン３０の筐体３１に傾斜部３１Ｂ１１及び傾斜部３１Ｂ２１を形成した態様を示している。傾斜部３１Ｂ１１は、第２の面部Ｐ２のうち吹出口３１Ｂ１側に位置する端部に形成されている。傾斜部３１Ｂ１１は、第１の面部Ｐ１と第２の面部Ｐ２との間の幅Ｗが吹出口３１Ｂ１に向かうにしたがって狭くなるように形成されている。傾斜部３１Ｂ２１は、第２の面部Ｐ２のうち吹出口３１Ｂ２側に位置する端部に形成されている。傾斜部３１Ｂ２１は、第１の面部Ｐ１と第２の面部Ｐ２との間の幅Ｗが吹出口３１Ｂ２に向かうにしたがって狭くなるように形成されている。
図２Ｂ（ａ）及び図２Ｂ（ｂ）に示す態様は、静圧が高い状況において有効である。なお、冷蔵庫１００の静圧に応じて、図２Ｂ（ａ）及び図２Ｂ（ｂ）に示す態様を採用するかどうかを決定すればよい。
【００４５】
［ファングリル１０の変形例１］
図３Ａは、実施の形態１に係る冷蔵庫１００のファングリル１０の変形例１である。
傾斜面部４は平板状部材に限定されない。傾斜面部４０は、図３Ａに示すように、湾曲していてもよい。なお、傾斜面部４０は、下側に突出するように湾曲している。これにより、風路Ｒ２を流れる冷気をより円滑に冷凍室１０５へ供給することができる。
【００４６】
［ファングリル１０の変形例２］
図３Ｂは、実施の形態１に係る冷蔵庫１００のファングリル１０の変形例２である。
ファングリル１０は開口部Ｏｐ３が形成されていなくてもよい。冷凍室１０５の冷気を、ファングリル１０の下部に配置された開放部Ｏｐ３Ｂから冷却器室ＲＭ１へ流すようにしてもよい。
【００４７】
実施の形態２．
図４Ａは、実施の形態２に係る冷蔵庫の、ファングリル２１０、遠心ファン２３０及び冷却器２０等の説明図である。
図４Ｂは、（ａ）が図４Ａに示すＢ−Ｂ断面図であり、（ｂ）が図４Ａに示すＣ−Ｃ端面図である。
図５は、実施の形態２に係る冷蔵庫の遠心ファン２３０を模式的に示した図である。
【００４８】
実施の形態２では、実施の形態１と共通する部分については同じ符号を付し、実施の形態１との相違点を中心に説明するものとする。
【００４９】
実施の形態１ではファングリル１０が冷凍室１０５に設けられていたが、実施の形態２では野菜室１０４に設けられている。野菜室１０４の温度帯は冷凍室１０５と比較すると高い。このため、ファングリル２１０から野菜室１０４へ直接冷気が供給されてしまうことがないように、実施の形態２では開口部Ｏｐ２及び風路Ｒ２が無い。なお、実施の形態２では、風路Ｒ２１及び風路Ｒ２２が追加されている。実施の形態２では、風路Ｒ２１及び風路Ｒ２２に冷気を流すことで、野菜室１０４の下側に位置する冷凍室１０５へ冷気が供給される。ファングリル２１０には実施の形態１の変形例２で説明した開放部Ｏｐ３Ｂが設けられている。冷凍室１０５の冷気は開放部Ｏｐ３Ｂから冷却器室ＲＭ１へ戻る。
【００５０】
実施の形態１で説明した風路Ｒ３が実施の形態２の風路Ｒ２３に対応し、実施の形態１で説明した風路Ｒ４が実施の形態２の風路Ｒ２４に対応している。風路Ｒ２３はＺ方向（下方向）に延びている。風路Ｒ２４もＺ方向（下方向）に延びている。ファングリル２１０は区画部９Ａ及び区画部９Ｂを更に含む。図４Ｂ（ｂ）に示すように、区画部９Ａは風路Ｒ２１と風路Ｒ２３とを区画している。区画部９Ｂは風路Ｒ２２と風路Ｒ２４とを区画している。風路Ｒ２１及び風路Ｒ２２はファン室ＲＭ２に連通している。
【００５１】
遠心ファン２３０は遠心ファン３０で説明した吹出口３１Ｂ２が無い。つまり、遠心ファン２３０には板状の第５の面部Ｐ５が設けられている。遠心ファン２３０には吹出口３１Ｂ３及び吹出口３１Ｂ４が形成されている。吹出口３１Ｂ３から吹き出された冷気は風路Ｒ２１を流れる。吹出口３１Ｂ４から吹き出された冷気は風路Ｒ２２を流れる。
【００５２】
第２の戻り風路は、実施の形態２の風路Ｒ２３及び風路Ｒ２４の少なくとも一方に対応する。吹出風路は、風路Ｒ１、風路Ｒ２１及び風路Ｒ２２に対応する。第１の吹出風路は、風路Ｒ１に対応する。第２の吹出風路は、風路Ｒ２１及び風路Ｒ２２に対応する。
【００５３】
［実施の形態２に係る冷蔵庫の有する効果］
実施の形態２に係る冷蔵庫は、実施の形態１に係る冷蔵庫１００と同様の効果を有する。
【符号の説明】
【００５４】
１  前面部、１Ａ  第１の部分、１Ｂ  第２の部分、２  背面部、２Ａ  第１の部分、２Ａ１  吸込口、２Ｂ  第２の部分、２Ｃ  第３の部分、３  区画部、３Ａ  第１の部分、３Ｂ  第２の部分、３Ｂ１  流入部、３Ｃ  第３の部分、３Ｃ１  流入部、４  傾斜面部、４Ａ  傾斜面、５  側面部、５Ａ  第１の部分、５Ｂ  第２の部分、５Ｃ  第３の部分、６  側面部、６Ａ  第１の部分、６Ｂ  第２の部分、６Ｃ  第３の部分、７Ａ  上面部、７Ｂ  上面部、８Ａ  壁部、８Ｂ  壁部、９Ａ  区画部、９Ｂ  区画部、１０  ファングリル、２０  冷却器、２０Ｅｄ１  前端、２０Ｅｄ２  後端、２０Ａ  伝熱管、２０Ｂ  フィン、２１  圧縮機、３０  遠心ファン、３１  筐体、３１Ａ  吸込口、３１Ａ１  ベルマウス、３１Ｂ１  吹出口、３１Ｂ１１  傾斜部、３１Ｂ２  吹出口、３１Ｂ２１  傾斜部、３１Ｂ３  吹出口、３１Ｂ４  吹出口、３２  インペラ、３３  翼、４０  傾斜面部、５０  背面部、５１  壁部、１００  冷蔵庫、１００Ａ  冷蔵庫筐体、１０１  冷蔵室、１０１ａ  冷蔵室扉、１０２  製氷室、１０２ａ  製氷室扉、１０４  野菜室、１０４ａ  野菜室扉、１０５  冷凍室、１０５ａ  冷凍室扉、１２０  圧縮機、２１０  ファングリル、２３０  遠心ファン、ＡＰ１  仕切板、ＡＰ２  仕切板、ＡＰ３  仕切板、Ｃｎｔ  制御装置、Ｏｐ１  開口部、Ｏｐ２  開口部、Ｏｐ３  開口部、Ｏｐ３Ｂ  開放部、Ｏｐ４  開口部、Ｏｐ５  開口部、Ｏｐ６  開口部、Ｏｐ７  開口部、Ｐ１  第１の面部、Ｐ２  第２の面部、Ｐ３  第３の面部、Ｐ４  第４の面部、Ｐ５  第５の面部、Ｒ  圧縮機室、Ｒ０  風路、Ｒ１  風路、Ｒ２  風路、Ｒ２１  風路、Ｒ２２  風路、Ｒ２３  風路、Ｒ２４  風路、Ｒ３  風路、Ｒ３０  風路、Ｒ４  風路、ＲＭ１  冷却器室、ＲＭ２  ファン室。
【図１Ａ】
2018112336.tif 000003
【図１Ｂ】
2018112336.tif 000004
【図１Ｃ】
2018112336.tif 000005
【図１Ｄ】
2018112336.tif 000006
【図２Ａ】
2018112336.tif 000007
【図２Ｂ】
2018112336.tif 000008
【図３Ａ】
2018112336.tif 000009
【図３Ｂ】
2018112336.tif 000010
【図４Ａ】
2018112336.tif 000011
【図４Ｂ】
2018112336.tif 000012
【図５】
2018112336.tif 000013